(57)【特許請求の範囲】
【請求項１】
情報機器を遠隔操作する携帯電話において、
前記情報機器に表示される表示画面情報を受信しその一部を表示する表示器と、
各種データを入力する複数の操作ボタンと、
前記表示器の表示画面を複数のセルに分割し、分割した前記セルの境界を表すグリッド線およびカーソルを前記表示器の表示画面情報に重ねて表示する表示制御部と、
前記表示器に表示されるカーソルを、前記操作ボタンの操作に応じて、前記セルの単位で移動させる操作制御部と、
を備え、
前記操作ボタンは、上下左右の４方向を指定する４つの矢印ボタン、１つの第１のボタン、および１つの第２のボタンを少なくとも備えて構成され、
前記第１のボタンの押下によって、
前記表示制御器は、前記表示器を複数の第１のセルに分割すると共に、前記カーソルの現在の位置をその格子点の１つとする第１のグリッド線を前記表示器に表示し、
前記４つの矢印ボタンの押下によって、
前記操作制御部は、前記矢印ボタンの方向に対応して、前記第１のグリッド線の格子点上を前記第１のセル単位で前記カーソルを移動させ、
前記第２のボタンの第１の押下によって、
前記表示制御器は、前記第１のセルを複数の第２のセルに分割すると共に前記カーソルの現在の位置をその格子点の１つとする第２のグリッド線を、前記カーソルの位置を中心とした所定の範囲に表示し、
前記４つの矢印ボタンの押下によって、
前記操作制御部は、前記矢印ボタンの方向に対応して、前記第２のグリッド線の格子点上を前記第２のセル単位で前記カーソルを移動させ、
前記第２のボタンの第２の押下によって、
前記表示制御部は、前記第１および第２のグリッド線を消去する、
ことを特徴とする携帯電話。
【請求項２】
前記第２のボタンは、前記矢印ボタンの中央に位置するボタンであることを特徴とする請求項１に記載の携帯電話。
【請求項３】
前記４つの矢印ボタンの押下によって、前記カーソルが前記表示器の表示範囲外となる方向に移動させようとした場合には、
前記表示器に表示されている前記情報機器の表示画面情報の一部を、前記カーソルを移動させようと方向と逆方向に移動させ、新たな前記情報機器の表示画面情報を前記表示器に表示させる、
ことを特徴とする請求項１に記載の携帯電話。
【請求項４】
前記４つの矢印ボタンの押下によって、前記カーソルが前記第２のグリッドの表示範囲外となる方向に移動させようとした場合には、
前記第２のグリッドの表示範囲を、前記カーソルを移動させようと方向に移動させる、
ことを特徴とする請求項１に記載の携帯電話。
【請求項５】
前記第１のグリッドが表示されている場合において、
前記第１のボタンの押下によって、
前記表示制御部は、前記第１のグリッドを消去する、
ことを特徴とする請求項１に記載の携帯電話。
【請求項６】
前記第２のグリッド線が表示されている場合において、
前記第１のボタンの押下によって、
前記表示制御部は、前記第２のグリッド線の表示から前記第１のグリッド線の表示に移行する、
ことを特徴とする請求項１に記載の携帯電話。
【請求項７】
情報機器を遠隔操作する携帯電話の遠隔操作方法において、
前記情報機器に表示される表示画面情報を受信しその一部を表示器に表示する表示ステップと、
複数の操作ボタンを用いて各種データを入力する入力ステップと、
前記表示器の表示画面を複数のセルに分割し、分割した前記セルの境界を表すグリッド線およびカーソルを前記表示器の表示画面情報に重ねて表示する表示制御ステップと、
前記表示器に表示されるカーソルを、前記操作ボタンの操作に応じて、前記セルの単位で移動させる操作制御ステップと、
を備え、
前記操作ボタンは、上下左右の４方向を指定する４つの矢印ボタン、１つの第１のボタン、および１つの第２のボタンを少なくとも備えて構成され、
前記第１のボタンの押下によって、
前記表示器を複数の第１のセルに分割すると共に、前記カーソルの現在の位置をその格子点の１つとする第１のグリッド線を前記表示器に表示するステップと、
前記４つの矢印ボタンの押下によって、
前記矢印ボタンの方向に対応して、前記第１のグリッド線の格子点上を前記第１のセル単位で前記カーソルを移動させるステップと、
前記第２のボタンの第１の押下によって、
前記第１のセルを複数の第２のセルに分割すると共に前記カーソルの現在の位置をその格子点の１つとする第２のグリッド線を、前記カーソルの位置を中心とした所定の範囲に表示するステップと、
前記４つの矢印ボタンの押下によって、
前記矢印ボタンの方向に対応して、前記第２のグリッド線の格子点上を前記第２のセル単位で前記カーソルを移動させるステップと、
前記第２のボタンの第２の押下によって、
前記第１および第２のグリッド線を消去するステップと、
をさらに備えたことを特徴とする携帯電話の遠隔操作方法。
【請求項８】
前記第２のボタンは、前記矢印ボタンの中央に位置するボタンであることを特徴とする請求項７に記載の携帯電話の遠隔操作方法。
【請求項９】
前記４つの矢印ボタンの押下によって、前記カーソルが前記表示器の表示範囲外となる方向に移動させようとした場合には、
前記表示器に表示されている前記情報機器の表示画面情報の一部を、前記カーソルを移動させようと方向と逆方向に移動させ、新たな前記情報機器の表示画面情報を前記表示器に表示させる、
ことを特徴とする請求項７に記載の携帯電話の遠隔操作方法。
【請求項１０】
前記４つの矢印ボタンの押下によって、前記カーソルが前記第２のグリッドの表示範囲外となる方向に移動させようとした場合には、
前記第２のグリッドの表示範囲を、前記カーソルを移動させようと方向に移動させる、
ことを特徴とする請求項７に記載の携帯電話の遠隔操作方法。
【請求項１１】
前記第１のグリッドが表示されている場合において、
前記第１のボタンの押下によって、
前記表示制御部は、前記第１のグリッドを消去する、
ことを特徴とする請求項７に記載の携帯電話の遠隔操作方法。
【請求項１２】
前記第２のグリッド線が表示されている場合において、
前記第１のボタンの押下によって、
前記表示制御部は、前記第２のグリッド線の表示から前記第１のグリッド線の表示に移行する、
ことを特徴とする請求項７に記載の携帯電話の遠隔操作方法。
【発明の詳細な説明】
【技術分野】
【０００１】
本発明は、携帯電話およびその遠隔操作方法に係り、特に、ネットワークを介してパーソナルコンピュータ等の情報機器を遠隔操作する携帯電話およびその遠隔操作方法に関する。
【背景技術】
【０００２】
近年、インターネット接続が可能な携帯電話や無線ＬＡＮ（Local Area Network）内蔵のＰＤＡ（Personal Digital Assistant）等、ネットワーク接続が可能な情報機器が普及してきている。また、これらの情報機器の表示装置は解像度が高くなり、細かな画像の表示が可能となってきている。それに伴い、情報機器から遠隔地にあるパーソナルコンピュータ（以下、ＰＣという。）等の他の情報機器にネットワークで接続し、操作を行うための製品の開発や研究が進められている。
【０００３】
例えば、予めソフトウェアをインストールしたＰＣを、ＷＥＢブラウザが使用可能な携帯電話及びＰＤＡからネットワーク経由で操作する技術がある（例えば、非特許文献１参照）。
【０００４】
また、同様にソフトウェアをあらかじめインストールしたＰＣを特定の言語が使用できるＷＥＢブラウザまたは専用のビューアで操作する技術がある（例えば、非特許文献２参照）。
【０００５】
さらに、携帯電話とＰＣの間に中継サーバを設け、中継サーバと携帯電話を独自プロトコルで通信するという方法で携帯電話からＰＣを遠隔操作する遠隔操作システムが実現されている（例えば、非特許文献３参照）。
【非特許文献１】日本ＩＢＭ  ”携帯電話からＰＣの遠隔操作を実現するソフト”、[ｏｎｌｉｎｅ]，プレス・リリース、[平成１７年６月２８日検索]、インターネット＜ＵＲＬ：ｈｔｔｐ：／／ｗｗｗ−６．ｉｂｍ．ｃｏｍ／ｊｐ／ｄｏｍｉｎｏ０５／ｅｗｍ／ＮｅｗｓＤＢ．ｎｓｆ／２００２／０５２７１＞
【非特許文献２】ＡＴＴ  ”Ｖｉｒｔｕａｌ  Ｎｅｔｗｏｒｋ  Ｃｃ”、［ｏｎｌｉｎｅ］，［平成１７年６月２８日検索］、インターネット＜ＵＲＬ：ｈｔｔｐ：／／ｗｗｗ．ｕｋ．ｒｅｓｅａｒｃｈ．ａｔｔ．ｃｏｍ／ａｒｃｈｉｖｅ／ｖｎｃ／＞
【非特許文献３】中須正人  ”  携帯電話を用いたコンピュータ遠隔操作システムの研究”、［ｏｎｌｉｎｅ］，筑波大学大学院、［平成１７年６月２８日検索］、インターネット＜ＵＲＬ：ｈｔｔｐ：／／ｗｗｗ．ｉｐｌａｂ．ｉｓ．ｔｓｕｋｕｂａ．ａｃ．ｊｐ／〜ｂａｒｕ／ｒｅｓｅａｒｃｈ／ｋｅｉｔａｉ．ｈｔｍｌ＞
【発明の開示】
【発明が解決しようとする課題】
【０００６】
非特許文献１ないし３が開示する技術は、ＰＣの表示画像情報やＰＣのキーボード或いはマウスから入力された情報を、特定の通信プロトコルによって、ＰＣと携帯電話との間で授受することによって、携帯電話からＰＣを遠隔操作する技術に関するものである。
【０００７】
ところで、今日、ＰＣに対してデータを入力しようとする場合は、キーボードの他、マウスやタッチパッド等のポインティングデバイスを用いる形態が一般的になっている。マウス等を用いることによって、ＰＣの画面上の任意の位置に瞬時にマウスカーソルを移動させることが可能であり、移動後直ちにマウスボタンを押下することによって各種のメニュー選択やデータ入力を行うことができるため、高い操作性が実現されている。
【０００８】
他方、携帯電話には、電話番号をダイアルするための数字ボタン、メニュー選択のための上下左右方向の矢印ボタンおよび確定ボタン、およびその他の特別な操作のための数個のボタンがついているだけである。
【０００９】
このため、携帯電話を用いてＰＣを遠隔操作しようとする場合、マウス等のようにＰＣの画面上の任意の位置にカーソルを瞬時に移動させることができず、例えば、上下左右方向の矢印ボタンを何回も押下することによってカーソルを少しずつ移動させる以外適切な手段が無いというのが実情である。
【００１０】
もちろん、マウスを携帯電話に接続して使用する形態も技術的には可能であるが、携帯電話の可搬容易性を低下させるだけでなく、外出先や電車等での移動中の操作を考えるとあまり現実的な解決方法とは言えない。
【００１１】
このように、携帯電話を用いてＰＣを遠隔操作する場合の操作性は、ＰＣ単独をマウス等で操作する場合に比べてかなり低いと言わざるを得ない。
【００１２】
本発明は、上記事情に鑑みてなされたもので、携帯電話等の既存の操作ボタンを使用しつつも、高い操作性でＰＣを遠隔操作することができる携帯電話およびその遠隔操作方法を提供することを目的とする。
【課題を解決するための手段】
【００１４】
本発明に係る携帯電話は、上記課題を解決するため、情報機器を遠隔操作する携帯電話において、前記情報機器に表示される表示画面情報を受信しその一部を表示する表示器と、各種データを入力する複数の操作ボタンと、前記表示器の表示画面を複数のセルに分割し、分割した前記セルの境界を表すグリッド線およびカーソルを前記表示器の表示画面情報に重ねて表示する表示制御部と、前記表示器に表示されるカーソルを、前記操作ボタンの操作に応じて、前記セルの単位で移動させる操作制御部と、を備え、前記操作ボタンは、上下左右の４方向を指定する４つの矢印ボタン、１つの第１のボタン、および１つの第２のボタンを少なくとも備えて構成され、前記第１のボタンの押下によって、前記表示制御器は、前記表示器を複数の第１のセルに分割すると共に、前記カーソルの現在の位置をその格子点の１つとする第１のグリッド線を前記表示器に表示し、前記４つの矢印ボタンの押下によって、前記操作制御部は、前記矢印ボタンの方向に対応して、前記第１のグリッド線の格子点上を前記第１のセル単位で前記カーソルを移動させ、前記第２のボタンの第１の押下によって、前記表示制御器は、前記第１のセルを複数の第２のセルに分割すると共に前記カーソルの現在の位置をその格子点の１つとする第２のグリッド線を、前記カーソルの位置を中心とした所定の範囲に表示し、前記４つの矢印ボタンの押下によって、前記操作制御部は、前記矢印ボタンの方向に対応して、前記第２のグリッド線の格子点上を前記第２のセル単位で前記カーソルを移動させ、前記第２のボタンの第２の押下によって、前記表示制御部は、前記第１および第２のグリッド線を消去する、ことを特徴とする。
【発明の効果】
【００１６】
本発明に係る携帯電話およびその遠隔操作方法によれば、携帯電話等の既存の操作ボタンを使用しつつも、高い操作性でＰＣを遠隔操作することができる。
【発明を実施するための最良の形態】
【００１７】
本発明に係る携帯電話およびその遠隔操作方法の実施形態について添付図面を参照して説明する。
【００１８】
（１）第１の実施形態
図１は、情報機器遠隔操作システム１のシステム構成例を示す図である。
【００１９】
本発明の実施形態に係る携帯電話２は、基地局５および電気通信回線４を介して情報機器３と連接される。情報機器３は、例えば、パーソナルコンピュータである。
【００２０】
情報機器遠隔操作システム１は、オフィス等に設置されている情報機器３を、携帯電話２によって出張先や外出先等から遠隔操作することを可能とするシステムである。
【００２１】
情報機器３に表示される表示器３ａの表示画面情報を、電気通信回線４を介して受信し、携帯電話２の表示器２ａに表示させる。通常、携帯電話２の表示器２ａは情報機器３の表示器３ａより小さいため、表示器３ａの一部が表示器２ａに表示されることになる。
【００２２】
他方、携帯電話２から情報機器３に対して操作をする場合やデータを入力する場合には、携帯電話２に設けられている操作ボタン等を用いることになる。
【００２３】
情報機器３を直接操作する場合であれば、マウスやタッチパッド等のポインティングデバイスを用いることにより、マウスカーソル（以下、単にカーソルという）を表示器３ａ上の任意の位置に瞬時に移動させることができる。
【００２４】
これに対して、携帯電話２では、携帯容易性が重視されるため、通常マウスやタッチパッド等のポインティングデバイスは備えておらず、このため従来カーソルの移動操作は効率の悪いものとなっていた。本発明は、カーソルの移動操作を効率良く行う技術を提供するものであり、これによって携帯電話２による遠隔操作の操作性を向上させることができる。
【００２５】
図２は、携帯電話２の構成例を示すブロック図である。
【００２６】
携帯電話２は、通信部２０、表示制御部２１、表示器２ａ、操作制御部２２、および操作部２３を備えている。
【００２７】
通信部２０は、電気通信回線４を介して情報機器３とのデータ通信を行っている。表示制御部２１は、情報機器３から送信されてくる表示画面情報を、携帯電話２の表示器２ａに表示させるための処理を行っている。また、表示制御部２１は、カーソルやグリッド線（後述）を表示器２ａに表示させる処理も行っている。
【００２８】
表示器２ａは、例えば液晶表示器等で構成されるものである。
【００２９】
操作制御部２２は、操作部２３の各種操作ボタン２４等から入力されるデータに基づいて各種のデータ変換等を行う。本実施形態では、押下される操作ボタン２４に応じて、例えばカーソルの位置への変換やカーソルの移動量への変換を行っている。
【００３０】
図３（ａ）は、携帯電話２の表示器２ａに表示される表示画面の一例を示す図である。図３（ｂ）は、遠隔操作の対象である情報機器３の表示器３ａに表示される表示画面を示している。
【００３１】
パーソナルコンピュータ等に代表される情報機器３の表示器３ａは、比較的大きな画面を構成することが可能であり、例えば１０２４×７６８ドット（ＸＧＡ規格）の画素数で構成される。一方、携帯電話２の表示器２ａは、高解像度化が進んできているものの情報機器３に比べると小さな画面となり、例えば２４０×３２０ドット（ＱＶＧＡ規格）である。
【００３２】
従って、情報機器３の表示画面を携帯電話２の表示器２ａに表示させる場合には、図３に例示したように、情報機器３の表示画面の一部が切り取られて表示されることになる。
【００３３】
図４は、携帯電話２の操作部２３の構成例を示す外観図である。操作部２３は複数の操作ボタン２４を備えて構成されている。
【００３４】
操作部２３の上部領域には、４つの上下左右矢印ボタン、即ち、「上」矢印ボタン、「下」矢印ボタン、「左」矢印ボタン、および「右」矢印ボタンが配置されている。また、４つの上下左右矢印ボタンで囲まれた中央部には「確定」ボタンが配置されている。
【００３５】
操作部２３の下部領域には、ダイヤルボタンが配置されている。ダイヤルボタンは、３行３列に配置された「１」ボタンないし「９」ボタンの他、「０」ボタン、「＊」ボタン、「＃」ボタン等を備えて構成されている。この他、携帯電話２は「通話」ボタンを備えている。
【００３６】
図５は、これらの操作ボタン２４を用いてカーソルを移動させる従来の方法について説明する図である。
【００３７】
図５中、十字を○で囲んだシンボルが、カーソルを表している。従来、カーソルを移動させようとした場合、上下左右矢印ボタンを用いて移動させる形態が多い。即ち、上下左右矢印ボタンを押下する毎に矢印の方向にカーソルが移動距離ｄだけ移動する形態である。図５の例示では、「右」矢印ボタンを１回押下してカーソルを右に移動させ、その後、「下」矢印ボタンを１回押下してカーソルを下に移動させている。
【００３８】
カーソルを所望の位置に移動させて時点で、例えば「確定」ボタンを押下することによって、情報機器３のマウスのボタンをクリックしたのと等価な操作としている。
【００３９】
移動距離ｄが固定だとすると、移動距離ｄの中間位置にカーソルをポインティングすることができない。このため、移動距離ｄは設定により変更可能となっている。
【００４０】
例えば、１回の移動距離ｄが８ドットに設定されている状態で、カーソルの位置を＋ｘ方向（右方向）に３６ドット、＋ｙ方向（下方向）に４０ドット移動させる場合を考えてみる。「右」矢印ボタンを４回押下し、「下」矢印ボタンを５回押下すると、目的位置の左横４ドットの位置に移動できる。そこで、カーソルの移動距離ｄを４ドットに設定しなおし、１回「右」矢印ボタンを押下することによって目的位置に到達することができる。この場合、移動距離ｄの設定操作を除いたとしても合計１０回の操作ボタン２４の押下が必要となる。
【００４１】
携帯電話２の画面サイズをａ×ｂドットとし、移動距離をｄドットとした場合、移動に必要となる上下左右矢印ボタンの平均の押下回数は、カーソルの現在位置を（ｘ，ｙ）とすると、（１）式で近似することができる。
【数１】
0004619882.tif 000002
【００４２】
（１）式は離散式なので、計算を簡略化するために、以下の連続式で近似する。
【数２】
0004619882.tif 000003
【００４３】
（２）式を計算すると、以下の式が得られる。  
［数３］
((ｘ２−a・x＋ａ２／２）／(a・d))＋((ｙ２−b・x＋b２／２）／(b・d))
すなわち、携帯電話２の画面サイズをａ×ｂドットとし、移動距離をｄドットとした場合、移動に必要となる上下左右矢印ボタンの平均の押下回数は、カーソルの現在位置を（ｘ，ｙ）とすると、（３）式で近似することができる。
【００４４】
［数４］
((ｘ２−a・x＋ａ２／２）／(a・d))＋((ｙ２−b・x＋b２／２）／(b・d))……(3)
０≦ｘ≦ａ、０≦ｙ≦ｂ
なお、（３）式は、カーソルの目的位置が、画面サイズａ×ｂドットの範囲に一様に分布しているという仮定での平均押下回数を示すものである。
【００４５】
今日、携帯電話２の代表としての携帯電話の画面サイズで一般的になりつつあるＱＶＧＡ規格の画面サイズは、２４０×３２０ドットである。そこで、ａ＝２４０、ｂ＝３２０を（３）式に代入し、さらに、移動距離ｄを８ドットとして、ｄ＝８を（３）式に代入すると、（４）式が得られる。  
［数５］
（(ｘ２−240・x＋28800）／1920)＋（(ｙ２−320・x＋51200）／2560) ……(4)
０≦ｘ≦２４０、０≦ｙ≦３２０
上記（４）式で表される関数は、表示器２ａの表示画面の中央位置、（ｘ，ｙ）＝（１２０，１６０）で最小値１７．５をとり、画面の隅、例えば（ｘ，ｙ）＝（０，０）で最大値３５をとる。平均値は約２３．３３３回である。
【００４６】
ボタンの押下回数を低減させるためには、１回のボタン押下での移動距離ｄを長くすることが考えられるが、その場合、中途半端な位置をポインティングする確率が高くなるため、移動距離ｄの設定変更をする頻度が増し、実際の操作としてはかえって効率の悪いものとなる。
【００４７】
携帯電話２におけるボタン操作では、しばらく押しっぱなしにする操作（長押し）があり、通常のボタン操作（短押し）とは区別されている。そこで、ボタンを長押しした場合と、短押しした場合で移動距離ｄを変えるという改良案がある。また、長押しをしてさらに引き続きそのボタンを押し続けていると、リピートと言う状態になり、長押しが繰り返される。このリピートの回数により移動距離ｄを変えるという改良案もある。
【００４８】
しかしながら、長押しはそれ自体で短押しよりも押下に時間を要するため、カーソルの移動時間を短縮するための決定的な解決策とはなり得ない。
【００４９】
図６は、本発明の第１の実施形態に係る携帯電話２におけるカーソルの移動方法を説明する図である。
【００５０】
第１の実施形態に係る携帯電話２では、特定のボタン、例えば「通話」ボタンを押下することによって、カーソルを現在位置から表示画面の中央に強制的に移動させるものとしている。この動作は、携帯電話２の操作制御部２２において、「通話」ボタンの押下を認識したときには、カーソルの位置データを強制的に画面中央の座標、（ｘ，ｙ）＝（０，０）に設定することで実現できる。
【００５１】
移動先がカーソルの現在位置に近い場合には必ずしも画面中央を経由する必要はないが、仮に、必ず「通話」ボタンを押下して画面中央に移動させた後に目的位置に移動させるとすると、（４）式から、現在のカーソル位置に関わらず、目的位置までカーソルを移動させるために必要となるボタンの平均押下回数は、１７．５回となる。「通話」ボタンの押下も考慮すると、平均押下回数は、１８．５回となる。
【００５２】
前述したように、現在のカーソルの位置が任意の位置にある場合（従来の方式）の平均押下回数は、２３．３３３回である。従って、第１の実施形態に係る携帯電話２では、約５回程度平均押下回数が低減されることになり、カーソルを目的位置まで移動させる時間が短縮され、操作性が向上する。
【００５３】
（２）第２の実施形態
図７は、第２の実施形態に係る携帯電話２の動作例を示すフローチャートである。また、図８および図９は、第２の実施形態に係る携帯電話２の動作例を説明する図である。
【００５４】
第２の実施形態に係る携帯電話２では、カーソルを効率的に移動させるために、「１」ボタンないし「９」ボタンのダイヤルボタン（第１のボタン）と特定の１つのボタン、例えば「通話」ボタン（第２のボタン）を用いる。
【００５５】
ユーザがカーソルを現在位置から移動させようとする場合、ユーザはまず「通話」ボタンを押下する（ステップＳＴ１）。
【００５６】
「通話」ボタンの押下により、携帯電話２は通常のオペレーションモードから高速でカーソルを移動させるモードへ移行する。また、この「通話」ボタンの押下により、携帯電話２の表示制御部２１は、図８に示すように、表示器２ａ上に３行３列の大きなグリッド線（第１のグリッド線）を表示し、このグリッド線によって９つの大きな升目（第１のセル）を形成する（ステップＳＴ２）。
【００５７】
図８の例では、第１のセルを表示するためにグリッド線を用いているが、セルを識別可能な表示であればよく、グリッド線に限定するものではない。例えばセルの格子点のみを表示する形態であってもよい。また、セル毎に背景色を異なる色にしてセルを識別可能とする形態であってもよい。なお、以下の説明においてはセルの識別表示として総てグリッド線を用いた形態として説明しているが、これらについても同様である。
【００５８】
ここで、再度「通話」ボタンが押下された場合（ステップＳＴ３のｙｅｓ）には、直前の操作がキャンセルされたと判断して、グリッド線を消去してステップＳＴ１の前に戻る。「通話」ボタンが押下されない場合にはそのままステップＳＴ４へ進む。
【００５９】
ステップＳＴ４では、ユーザが「１」ボタンないし「９」ボタンの９つのボタンのうち、何れかのダイヤルボタンを押下する。「１」ボタンないし「９」ボタンは、その配列が３行３列に構成されているものであり、図８に示したように、大きなグリッド線が形成する升目（セル）の位置に対応している。従って、ユーザは、表示器２ａに表示された升目からカーソルの目的位置に対応するダイヤルボタンを容易に選択することができる。
【００６０】
図９は、動作の流れに沿った表示画面の表示例を示したものであるが、図９（ａ）は、ステップＳＴ２で「通話」ボタンを押下して大きなグリッド線が表示された直後を示したものである。図９（ａ）におけるカーソルの位置（左上）は、カーソルの現在位置（移動前）を示している。
【００６１】
図９（ｂ）は、ステップＳＴ４で、「４」ボタンを押下した直後の表示例である。「４」ボタンが押下されると、カーソルは「４」ボタンの位置に対応する升目（左側中段）の中央に移動する。併せて、そのセルの内部にさらに３行３列の小さなグリッド線（第２のグリッド線）を表示し、このグリッド線によって９つの小さな升目（第２のセル）を形成する（ステップＳＴ５）。
【００６２】
ここで、再度「通話」ボタンが押下された場合（ステップＳＴ６のｙｅｓ）には、直前の操作がキャンセルされたと判断して、小さなグリッド線を消去してステップＳＴ３の前に戻る。「通話」ボタンが押下されない場合にはそのままステップＳＴ７へ進む。
【００６３】
ステップＳＴ７で、ユーザは目的位置に対応する「１」ボタンないし「９」ボタンを選択して押下する。図９（ｃ）の例では「９」ボタンを選択して押下している。「９」ボタンの押下によってカーソルは小さな升目の「９」ボタンに対応する位置に移動する。併せて、総てのグリッド線を消去して図９（ｄ）の状態（通常のオペレーションモード）に戻る。図９（ｄ）の通常のオペレーションモードでは、上下左右矢印ボタンを用いて例えば移動距離ｄ（ｄ＝８ドット）の単位でカーソルを移動させ、最終的に目的位置まで移動させる。
【００６４】
小さな升目の画像サイズは、表示器２ａ全体の画像サイズに比べると縦横それぞれが１／９となるため、表示器２ａの画像サイズが２４０ドット×３２０ドットの場合、約２７×３６ドットとなる。従って、図９（ｄ）の状態からカーソルを目的位置まで移動させるための平均押下回数は、（３）式にａ＝２７、ｂ＝３６、ｄ＝８を代入した（５）式から得ることができる。
【００６５】
［数６］
（(ｘ２−27・x＋364.5）／216)＋（(ｙ２−36・x＋648）／288)＋３    ……（５）
０≦ｘ≦２７、０≦ｙ≦３６
（５）式の最後の項の「３」は、「通話」ボタンの押下１回（ステップＳＴ１）、ダイヤルボタンの押下２回（ステップＳＴ４およびステップＳＴ７）に対応するものである。  （５）式の最小値は、４．９６９であり、最大値は６．９３９となる。また、平均値は約５・６２５である。
【００６６】
即ち、第２の実施形態に係る携帯電話２では、カーソルを現在位置から目的位置まで移動させるために必要となるボタンの平均押下回数は、約６回となる。従来の方法では、約２３回であったから、およそ１／４となる。
【００６７】
このように、第２の実施形態に係る携帯電話２によれば、カーソル移動に要する操作ボタンの押下回数が大幅に削減されるため、短時間でカーソルを目的位置まで移動させることが可能となり、操作性が向上する。
【００６８】
（３）第３の実施形態
図１０は、第３の実施形態に係る携帯電話２の動作例を示すフローチャートである。また、図１１は、第３の実施形態に係る携帯電話２の動作の流れに沿った表示器２ａの表示例を示す図である。
【００６９】
第２の実施形態ではカーソルの移動を「１」ボタンないし「９」ボタンのダイヤルボタンで行っている。これに対して、第３の実施形態では、カーソルの移動を、上下左右矢印ボタンを用いて行う形態としている。
【００７０】
ダイヤルボタンによる操作は簡潔ではあるものの、ユーザによってはボタンの位置を確認しながら操作する場合もある。これに対して、上下左右矢印ボタンはボタンを見なくても操作するブラインドタッチがより行いやすい形態である。
【００７１】
上下左右矢印ボタンを用いてカーソルを移動させる場合、カーソルの画面上の位置よりも移動する方向が重視される。そこで、カーソルをセルの中央に表示させる第２の実施形態とは異なり、カーソルをグリッド線の格子点に表示させる形態としている。この表示形態であれば、カーソルの動きはグリッド線上を動くことになるため、グリッド線がカーソルの軌跡を表し、上下左右矢印ボタンとの相性が良い。従って、素早い操作が可能となる。
【００７２】
ステップＳＴ１０で、ユーザが特定のボタン、例えば「通話」ボタン（第１のボタン）を押下することで、携帯電話２は、通常のオペレーションモードからカーソルを高速で移動させるモードに移行する。
【００７３】
また、「通話」ボタンの押下により、カーソルの現在位置を格子点の１つとする大きなグリッド線（第１のグリッド線）を表示器２ａに表示する（ステップＳＴ１１）。図１１（ａ）は、この状態を示している。
【００７４】
第２の実施形態では、ダイヤルボタンの配置とグリッド線が形成するセルの配置を一致させるために、３行３列のセルに分割するグリッド線としていたが、第３の実施形態ではこのような制約がない。従って、グリッド線の本数や間隔は視認性を重視して選定することが可能であり、図１１のように縦横の間隔を等間隔とすることができる。例えば、本実施形態では、縦横のグリッド線の間隔をいずれも８０ドット間隔としている。
【００７５】
ユーザは、表示画面を見ながらブラインドタッチで上下左右矢印ボタンを押下しながら、カーソルを現在位置から目的位置に近づけていく。カーソルの移動は、上下左右矢印ボタンの一回の押下でグリッド線が形成するセル単位で格子点上を移動する。
【００７６】
図１１（ｂ）に示した例では、「下」矢印ボタンの１回の押下と、「右」矢印ボタンの１回の押下によってカーソルを現在位置から目的位置の近傍まで移動させている。
【００７７】
カーソルを目的位置の近傍まで移動させた後、ユーザは特定のボタン、例えば「確定」ボタン（第２のボタン）を押下する（ステップＳＴ１６）。
【００７８】
「確定」ボタンの押下によって、カーソルが位置する格子点に接する例えば４つのセル（第１のセル）をさらに分割する小さなグリッド線（第２のグリッド線）を表示する。小さなグリッド線によって、大きなセルは小さなセル（第２のセル）に分割される。図１１（ｃ）は、この状態を示している。本実施形態では、大きなセルを縦横それぞれ３分割しており、小さなグリッド線の間隔を縦横とも２７ドット間隔としている。
【００７９】
ステップＳＴ１８で、ユーザは上下左右矢印ボタンを押下してカーソルをさらに目的位置の近傍まで近づける。この時のカーソルの移動単位は、小さなセル単位となるため、より細かな移動が可能となる。図１１（ｄ）に示した例では、「下」矢印ボタンの１回の押下と、「右」矢印ボタンの１回の押下によってカーソルを目的位置の近傍までさらに移動させている。
【００８０】
カーソルを目的位置のほぼ近傍まで移動させたのち、ユーザは「確定」ボタンを押下する（ステップＳＴ２２）。「確定」ボタンの押下によって、カーソル位置を確定し、高速でカーソルを移動させるモードから通常のオペレーションモードに戻る。また、総てのグリッド線を消去する（ステップＳＴ２３）。図１１（ｅ）は、この状態を示している。
【００８１】
通常のオペレーションモードでさらにカーソル位置を微調整する場合には、上下左右矢印ボタンを用いて、予め設定されている移動距離ｄ、例えば８ドット単位でカーソルを移動させればよい。
【００８２】
大きなグリッド線の格子点をカーソルが移動するときは、１回の上下左右矢印ボタンの押下によって８０ドット移動する。前述したように、従来の方法（通常のオペレーションモード）では、１回の上下左右矢印ボタンの押下による移動距離は８ドットであるから、ボタンの平均押下回数は、（４）式の１／１０となる。即ち、約２．３３３回である。
【００８３】
小さなグリッド線の格子点をカーソルが移動するときは、大きなセルを分割した３×３の領域の移動を行うことになるので、大きなグリッド線の格子点を移動するときよりも平均押下回数は少なくなる。即ち、小さなグリッド線の格子点をカーソルが移動するときの平均押下回数は、約２．３３３回よりも少ない。
【００８４】
小さなセルの大きさは２７×２７ドットである。従って通常のオペレーションモードに戻って８ドット単位でカーソル位置の微調整を行うときの平均押下回数は、（５）式とほぼ同じとなり、約２．３３３回となる。
【００８５】
この他、１回の「通話」ボタンの押下、および２回の「確定」ボタンの押下を考慮すると、結局、第３の実施形態に係る携帯電話２の平均押下回数は、
［数７］
２．３３３＋２．３３３＋２．３３３＋１０＝約１０（回）      ……（６）
となる。第２の実施形態に係る携帯電話２の平均押下回数の約６回に比べると若干多くなっているが、従来の方法による平均押下回数約２３回に比べれば、半分以下の回数となっている。
【００８６】
このように、第３の実施形態に係る携帯電話２によれば、第２の実施形態と同様に、カーソル移動に要する操作ボタンの押下回数が大幅に削減されるため、短時間でカーソルを目的位置まで移動させることが可能となり、操作性が向上する。
【００８７】
ところで、上下左右矢印ボタンを用いる場合に、カーソルの移動先が表示器２ａの表示範囲外となる方向に移動させようとするときがあり得る。このような場合、本実施形態では、カーソルの移動先が表示範囲外であるか否かを判断し（図１０のステップＳＴ１３）、表示範囲外である場合には、表示器２ａに表示されている情報機器３の表示画面情報の一部を、カーソルを移動させようとしている方向と逆方向に移動させ、移動した新たな表示画面に対してカーソルの位置設定ができるようにしている。
【００８８】
具体例を図１２に示している。図１２（ａ）は、情報機器３の表示器３ａの表示画面の一例を示したものである。この表示画面の一部（左端の矩形で囲んだ領域）が切り出されて携帯電話２の表示画面（図１２（ｂ））に表示されている。
【００８９】
図１２（ｂ）の状態からカーソルの位置をさらに右に移動させようとした場合、このままではカーソル目的位置が表示器２ａに表示されていないため、目的位置に移動させることができない。そこで、本実施形態では、例えば「右」矢印ボタンを押下した場合には、ビュー（表示器３ａの一部を切り取った表示領域）を左方向へ、グリッド線の間隔だけ移動させる形態としている。この結果、今まで見えていなかった右隣の表示画像が表示器２ａ上に現れてカーソルを所望の目的位置に移動させることが可能となる。
【００９０】
この動作によって、「右」矢印ボタンを１回押下するだけで、カーソルの移動とビューの移動を同時に行うことができるため、効率の高い操作を実現できる。
【００９１】
また、図１３（ａ）に示したように、小さなグリッド線が表示されている場合に、小さなグリッド線の表示範囲外にカーソルを移動させようとする場合もあり得る。
【００９２】
本実施形態では、このような場合には図１３（ｂ）に示したように、小さなグリッド線の表示領域をカーソルの移動方向に自動的にシフトさせる形態としている。この結果、小さなグリッド線を用いたカーソルの移動を継続的に行うことが可能となり、操作性が向上する。
【００９３】
また、図１４（ａ）に示したように、小さなグリッド線が表示されている場合に、小さなグリッド線の表示範囲外であり、かつ表示器２ａの表示範囲外の領域にカーソルを移動させようとする場合もあり得る。
【００９４】
本実施形態では、このような場合には、図１４（ｂ）に示したように、小さなグリッド線の表示領域と表示器２ａのビューを、大きなグリッド線の間隔だけ、カーソルの移動方向と逆方向に移動させる形態としている（図１０のステップＳＴ２０）。この結果、今まで見えていなかった右隣の表示画像が表示器２ａ上に現れ、かつ小さなグリッド線を用いたカーソルの移動可能となり、操作上便利である。
【００９５】
第３の実施形態においても、第２の実施形態と同様に、「通話」ボタンを用いたキャンセル動作が可能としている。
【００９６】
図１０のステップＳＴ１５において、「通話」ボタンが押下されると、大きなグリッド線の表示を消去して、通常のオペレーションモード（ステップＳＴ１０の直前）に戻る。
【００９７】
また、小さなグリッド線が表示されているときに「通話」ボタンが押下されると（ステップＳＴ２１のｙｅｓ）、小さなグリッド線を消去して大きなグリッド線の表示状態に戻る。図１５は、このキャンセル動作を示す表示例である。
【００９８】
なお、第３の実施形態では、通常のオペレーションモードから「通話」ボタンを押下して高速でのカーソル移動モードに移行する際に、現在のカーソル位置は変化しない形態としている（図１１（ａ）参照）。情報機器３で動作しているアプリケーションソフトウェアの種類によっては、通常のオペレーションモードにおける現在のカーソル位置の変化を特定の情報として取り扱う場合がある。本実施形態では、そのようなアプリケーションソフトウェアに対しても影響を与えることがない。
【００９９】
（４）第４の実施形態
図１６は、第４の実施形態に係る携帯電話２の動作を説明する図である。
【０１００】
第４の実施形態に係る携帯電話２の基本的な動作の流れは、図１０に示した第３の実施形態のフローチャートと同じ流れとなっている。第３の実施形態との相違点は、通常のオペレーションモードから高速カーソル移動モードに移行したときのカーソルの動きにある。
【０１０１】
第４の実施形態に係る携帯電話２では、「通話」ボタンを押下すると、大きなグリッド線を表示すると共に、現在のカーソル位置を画面中央の格子点に移動させる形態としている。図１６（ａ）は、この状態を示している。その他の動作は第３の実施形態と同様である。
【０１０２】
（３）式等から類推できるように、カーソルの初期位置を中央に設定することによって、セル単位の移動であっても、上下左右矢印ボタンの平均押下回数を最小に抑えることができる。この意味で、第４の実施形態は、第３の実施形態の利点に第１の実施形態の利点を付加した形態ということもできる。
【０１０３】
なお、本発明は上記の実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。
【図面の簡単な説明】
【０１０４】
【図１】本発明に係る携帯電話が連接される情報機器遠隔操作システムの構成例を示す図。
【図２】本発明に係る携帯電話の第１ないし第４の実施形態に係る構成例を示す図。
【図３】本発明に係る携帯電話の第１ないし第４の実施形態に係る表示器の表示例を示す図。
【図４】本発明に係る携帯電話の第１ないし第４の実施形態に係る操作ボタンの一例を示す図。
【図５】従来の携帯電話の動作を説明する図。
【図６】本発明に係る携帯電話の第１の実施形態に係る動作を説明する図。
【図７】本発明に係る携帯電話の第２の実施形態に係る動作例を示すフローチャート。
【図８】本発明に係る携帯電話の第２の実施形態に係る動作を説明する第１の図。
【図９】本発明に係る携帯電話の第２の実施形態に係る動作を説明する第２の図。
【図１０】本発明に係る携帯電話の第３の実施形態に係る動作例を示すフローチャート。
【図１１】本発明に係る携帯電話の第３の実施形態に係る動作を説明する第１の図。
【図１２】本発明に係る携帯電話の第３の実施形態に係る動作を説明する第２の図。
【図１３】本発明に係る携帯電話の第３の実施形態に係る動作を説明する第３の図。
【図１４】本発明に係る携帯電話の第３の実施形態に係る動作を説明する第４の図。
【図１５】本発明に係る携帯電話の第３の実施形態に係る動作を説明する第５の図。
【図１６】本発明に係る携帯電話の第４の実施形態に係る動作を説明する図。
【符号の説明】
【０１０５】
１  情報機器遠隔操作システム
２  携帯電話
２ａ  表示器
３  情報機器
４  電気通信回線
２０  通信部
２１  表示制御部
２２  操作制御部
２３  操作部
２４  操作ボタン
【図１】
0004619882.tif 000004
【図２】
0004619882.tif 000005
【図３】
0004619882.tif 000006
【図４】
0004619882.tif 000007
【図５】
0004619882.tif 000008
【図６】
0004619882.tif 000009
【図７】
0004619882.tif 000010
【図８】
0004619882.tif 000011
【図９】
0004619882.tif 000012
【図１０】
0004619882.tif 000013
【図１１】
0004619882.tif 000014
【図１２】
0004619882.tif 000015
【図１３】
0004619882.tif 000016
【図１４】
0004619882.tif 000017
【図１５】
0004619882.tif 000018
【図１６】
0004619882.tif 000019